(57)【特許請求の範囲】
【請求項１】
枠体と、
第一支持孔と第一保持孔とを備え、前記第一支持孔を通過する第一支持体によって前記枠体に支持され、前記第一支持体を支点とした振り子運動ができる第一保持部材と、
第二支持孔と第二保持孔とを備え、前記第二支持孔を通過する第二支持体によって前記第一保持部材と対向するように前記枠体に支持され、前記第二支持体を支点とした振り子運動ができる第二保持部材と、
前記第一保持孔および前記第二保持孔でそれぞれ保持された第一保持体および第二保持体と、
前記第一保持部材および前記第二保持部材と連動して前記振り子運動ができるとともに、前記第一保持部材および前記第二保持部材に対して回転運動ができるように、前記第一保持体および前記第二保持体に両側から保持された装飾部材と、
を有する装身具。
【請求項２】
請求項１において、
前記枠体の対向する内側に第一凹部と第二凹部がそれぞれ形成されており、
前記第一保持部材および前記第二保持部材が、前記第一凹部および前記第二凹部にそれぞれ収納されている装身具。
【請求項３】
請求項１または２において、
前記第一保持体と前記第一保持孔の接触部、および前記第二保持体と前記第二保持孔の接触部を通る軸を中心として、前記装飾部材が所定の角度で回転運動する装身具。
【請求項４】
請求項１から３のいずれかにおいて、
前記第一保持体および前記第二保持体が、前記装飾部材の斜め左上方および斜め右上方にそれぞれ接続されている装身具。
【請求項５】
請求項１から４のいずれかにおいて、
前記第一保持体の少なくとも一部を収納する第一枠孔と、前記第二保持体の少なくとも一部を収納する第二枠孔とが、前記枠体に設けられている装身具。
【請求項６】
請求項５において、
前記第一枠孔の外側から前記第一保持体が、前記第二枠孔の外側から前記第一保持体が、前記装飾部材にそれぞれ圧入されている装身具。
【発明の詳細な説明】
【技術分野】
【０００１】  本発明は、宝石などの装飾部材が、揺動可能に枠体に支持されている装身具に関する。
【背景技術】
【０００２】  胸の前でダイヤモンドなどの宝石を細かく揺れ動かして装飾効果を高めたペンダントトップが、特許文献１に記載されている。このペンダントトップでは、宝石と、この宝石を保持する台座とで構成される装飾部材が、フレームの中心に配置されている。そして、この装飾部材の両側に設けられた丸環と、このフレームに設けられた２つの丸環がそれぞれ連結されている。この装飾部材は、２組の丸環同士の連結によって、揺動可能にフレームに支持されている。しかしながら、このペンダントトップでは、装飾部材がフレームに対して揺動するだけであった。【０００３】  また、装飾部材の両側にピボット状の支軸が形成された揺動アームが設けられ、この支軸を係合する軸受凹部がフレーム側に形成されたペンダントトップが、特許文献２に記載されている。このペンダントトップでは、軸受凹部にピボット状の支軸が係合することにより、装飾部材がフレームに対して揺動自在となる。しかしながら、このペンダントトップでも、装飾部材がフレームに対して揺動するだけであった。
【先行技術文献】
【特許文献】
【０００４】
【特許文献１】特開２０１５−５４１６２号公報
【特許文献２】特許第５９６０３３６号公報
【発明の概要】
【発明が解決しようとする課題】
【０００５】  本発明が解決しようとする課題は、装飾部材が大きく揺動する装身具を提供することである。
【課題を解決するための手段】
【０００６】  本発明の装身具は、枠体と、枠体に対向するように支持され、この支持された位置を支点とした振り子運動をする第一保持部材および第二保持部材と、第一保持部材および第二保持部材と連動して振り子運動ができるとともに、第一保持部材および第二保持部材に対して回転運動ができるように、第一保持部材および第二保持部材の支点から離れた位置で両側から保持された装飾部材とを有している。
【発明の効果】
【０００７】  本発明の装身具は、枠体に対して振り子運動ができる保持部材と、保持部材と連動して振り子運動ができ、保持部材に対して回転運動できる装飾部材とを備えている。この振り子運動と回転運動の両方の運動によって、枠体に対して装飾部材が大きく揺動できる。
【図面の簡単な説明】
【０００８】
【図１】第一実施形態のペンダントトップの正面図。
【図２】第一実施形態のペンダントトップの正面断面図。
【図３】図２に示すペンダントトップの部分拡大図。
【図４】第一実施形態のペンダントトップの側面断面図。
【図５】図１のＶ−Ｖ線断面図で、（ａ）は第一保持部材の振り子運動を示す側面断面図、（ｂ）は装飾部材の回転運動を示す側面断面図。
【図６】第二実施形態のペンダントトップの正面図。
【図７】第二実施形態のペンダントトップの正面断面図。
【発明を実施するための形態】
【０００９】  以下、本発明の装身具について、図面を参照しながら各実施形態に基づいて説明する。なお、図面は、装身具、装身具の構成部材、および装身具の周辺部材を模式的に表したものであり、これらの実物の寸法および寸法比は、図面上の寸法および寸法比と必ずしも一致していない。また、特にことわらない限り、本明細書では便宜上、図１に示す装身具の向きを基準に、前後、上下、および左右などの方向を表す。重複説明は適宜省略し、同一部材には同一符号を付与することがある。
【００１０】  図１は、本発明の第一実施形態に係る装身具であるペンダントトップ１０の正面を示している。図２は、ペンダントトップ１０の一部を正面と平行に切断したときの断面を示している。図３は、図２のペンダントトップ１０の一部を拡大して示している。図４は、図１のＩＶ−ＩＶ線断面を示している。図５（ａ），（ｂ）は、図１のＶ−Ｖ線断面で、装飾部材の揺動を示している。なお、装身具はペンダントトップに限定されず、指輪、イアリング、ピアス、ネックレス等であってもよい。
【００１１】  ペンダントトップ１０は、枠体１２と、第一保持部材１４および第二保持部材１６と、第一支持体１８および第二支持体２０と、装飾部材２２と、第一保持体２４および第二保持体２６を備えている。枠体１２は、上下に孔を備える「８」字形状の金属製部材で、第一保持部材１４および第二保持部材１６を介して、下孔内で装飾部材２２を両側から揺動可能に保持している。また、枠体１２の上孔に鎖やひも等を通して首に掛けると、ペンダントトップ１０が首から吊るせる。なお、枠体１２の形状や材質等は特に制限がない。例えば、枠体１２は上孔がなくてもよいし、最下部が開口されていてもよい。
【００１２】  第一保持部材１４は、第一支持孔３０および第一保持孔３２を備える「８」字形状の金属製の板状部材である。第二保持部材１６も、第二支持孔４０および第二保持孔４２を備える「８」字形状の金属製の板状部材である。第一支持孔３０、第一保持孔３２、第二支持孔４０、および第二保持孔４２は、開口面が円形であって、長さ方向の中央付近で径が最少となるように形成されている。つまり、第一支持孔３０、第一保持孔３２、第二支持孔４０、および第二保持孔４２は、内側方向に尖ったエッジ部３０ａ，３２ａ，４０ａ，４２ａの外周をそれぞれ備える円形の開口を、長さ方向の中央付近に有している。
【００１３】  第二保持部材１６は、以下のようにして、第一保持部材１４と対向して枠体１２に支持されている。なお、第一保持部材１４の枠体１２への支持方法は、第二保持部材１６の枠体１２への支持方法と同様のため、説明を省略する。図２から図４に示すように、枠体１２の対向する内側に第一凹部４４と第二凹部４６が形成されている。第一凹部４４の底には、枠体１２の外に貫通する底孔４４ａが設けられている。第二凹部４６の底にも、枠体１２の外に貫通する底孔４６ａが設けられている。第二保持部材１６は第二凹部４６に収納されている。第二支持体２０はリベット形状を備えている。第二支持体２０の胴部２０ｂが枠体１２の内側から第二支持孔４０を通過して、胴部２０ｂの先端が第二凹部４６の底孔４６ａに圧入されている。
【００１４】  第二保持部材１６は、第二凹部４６の底面と第二支持体２０の頭部２０ａに挟まれた状態で、胴部２０ｂにぶら下がっている。つまり、第二保持部材１６が胴部２０ｂを支点とした振り子運動ができるように、第二支持孔４０のエッジ部４０ａが胴部２０ｂに載っている。こうして、第一保持部材１４および第二保持部材１６は、第一支持体１８および第二支持体２０を介して枠体１２にそれぞれ支持されている。第一支持体１８および第二支持体２０が、エッジ部３０ａおよびエッジ部４０ａとそれぞれ点接触しているため、第一保持部材１４および第二保持部材１６は、胴部１８ｂおよび胴部２０ｂをそれぞれ支点として、スムーズに振り子運動ができる。
【００１５】  装飾部材２２は、ダイヤモンドなどの宝石４８と、宝石４８を保持する台座５０とを備えている。台座５０は、宝石４８の外周と接するリング状部５１と、リング状部５１から斜め左上方向に突出している円柱状の第一突出部５２と、リング状部５１から斜め右上方向に突出している円柱状の第二突出部５４を備えている。第一突出部５２および第二突出部５４の中心には、円柱状の孔５２ａおよび孔５４ａがそれぞれ設けられている。
【００１６】  第一保持体２４は金属製で、径が小さい円柱状の先端部２４ａと、径が大きい円柱状の本体部２４ｂを備えている。第二保持体２６も金属製で、径が小さい円柱状の先端部２６ａと、径が大きい円柱状の本体部２６ｂを備えている。本体部２４ｂおよび本体部２６ｂは、第一保持孔３２および第二保持孔４２に隙間が形成されるように、第一保持孔３２のエッジ部３２ａおよび第二保持孔４２のエッジ部４２ａにそれぞれ載っている。
【００１７】  本体部２４ｂおよび本体部２６ｂがエッジ部３２ａおよびエッジ部４２ａとそれぞれ点接触しているため、装飾部材２２は、第一保持部材１４および第二保持部材１６に対してスムーズに回転運動ができる。このとき、装飾部材２２は、第一保持部材１４と第一保持孔３２の点接触部、および第二保持部材１６と第二保持孔４２の点接触部を通る軸を中心として、所定の角度で回転運動する。
【００１８】  また、第一保持孔３２で第一保持部材１４に保持されている第一保持体２４と、第二保持孔４２で第二保持部材１６に保持されている第二保持体２６は、胴部１８ｂおよび胴部２０ｂをそれぞれ支点とした第一保持部材１４および第二保持部材１６の振り子運動に連動する。そして、装飾部材２２は、第一保持部材１４および第二保持部材１６の両側から保持されている。
【００１９】  このように、振り子運動の支点である胴部１８ｂおよび胴部２０ｂから離れた位置で装飾部材２２が保持されているため、装飾部材２２は、図５（ａ）に示すように、第一保持部材１４および第二保持部材１６と連動して振り子運動ができる。さらに、装飾部材２２は、図５（ｂ）に示すように、第一保持部材１４および第二保持部材１６に対して回転運動ができる。装飾部材２２が振り子運動と回転運動の両方ができるため、装飾部材２２が枠体１２に対して大きく揺動できる。
【００２０】  また、枠体１２には、第一保持体２４の少なくとも一部を収納する第一枠孔５６と、第二保持体２６の少なくとも一部を収納する第二枠孔５８が設けられている。第一枠孔５６および第二枠孔５８は、枠体１２の下孔の外側から内側に向かって斜め下方に形成されている。第一枠孔５６および第二枠孔５８の機能については後述する。
【００２１】  ペンダントトップ１０は、例えば以下のようにして製造する。まず、枠体１２の第一凹部４４および第二凹部４６内に、第一保持部材１４および第二保持部材１６をそれぞれ配置する。つぎに、枠体１２の下孔の内側から、第一支持体１８および第二支持体２０を、底孔４４ａおよび底孔４６ａにそれぞれ圧入することによって、第一凹部４４および第二凹部４６内に、第一保持部材１４および第二保持部材１６をそれぞれ支持する。そして、枠体１２の下孔の内側に装飾部材２２を配置した状態で、第一枠孔５６および第二枠孔５８の外側から第一保持体２４および第二保持体２６をそれぞれ挿入する。
【００２２】  さらに、第一保持体２４および第二保持体２６が第一保持孔３２および第二保持孔４２をそれぞれ通過した後、台座５０の第一突出部５２の孔５２ａおよび第二突出部５４の孔５４ｂに、第一保持体２４の先端部２４ａおよび第二保持体２６の先端部２６ａをそれぞれ圧入する。最後に、第一保持孔３２のエッジ部３２ａおよび第二保持孔４２のエッジ部４２ａに、第一保持体２４および第二保持体２６をそれぞれ載せる。
【００２３】  枠体１２に第一枠孔５６および第二枠孔５８を設けたので、枠体１２の外側から第一保持体２４および第二保持体２６に装飾部材２２を圧入できる。このため、装飾部材２２に装着された第一保持体２４および第二保持体２６を変形した後、枠体１２の内側から第一保持孔３２および第二保持孔４２に嵌め込む必要がない。したがって、枠体１２に装飾部材２２を容易に装着できる。
【００２４】  台座５０から斜め左右上方向に突出している第一保持体２４および第二保持体２６が、エッジ部３２ａおよびエッジ部４２ａで下からそれぞれ支持されているため、装飾部材２２が常に枠体１２の下孔の中央付近で保持される。このため、装飾部材２２が左右方向にずれて、枠体１２の下孔の内周面に接触するのを抑えられる。なお、台座５０に第一突出部５２および第二突出部５４を設けずに、台座５０のリング状部５１に一対の孔を設けて、そこに先端部２４ａ，２６ａをそれぞれ圧入してもよい。
【００２５】  図６は、本発明の第二実施形態に係るペンダントトップ６０の正面を示している。図７は、ペンダントトップ６０の一部を正面と平行に切断したときの断面を示している。枠体６２がハート形状を備えている点と、第一凹部６４と第二凹部６６が上方の第三凹部６８でつながっている点で、本実施形態のペンダントトップ６０は、第一実施形態のペンダントトップ１０と異なる。また、ペンダントトップ６０は、鎖やひも等を通して首に掛けるための通し孔７０を備えている。これら以外では、装飾部材２２が枠体６２に保持される機構は、ペンダントトップ１０と同様なので説明を省略する。このように、本発明の装身具は、様々な形状の枠体で使用できる。
【符号の説明】
【００２６】  １０，６０  ペンダントトップ  １２    枠体  １４    第一保持部材  １６    第二保持部材  １８    第一支持体  １８ａ  頭部  １８ｂ  胴部  ２０    第二支持体  ２０ａ  頭部  ２０ｂ  胴部  ２２    装飾部材  ２４    第一保持体  ２４ａ  先端部  ２４ｂ  本体部  ２６    第二保持体  ２６ａ  先端部  ２６ｂ  本体部  ３０    第一支持孔  ３０ａ  エッジ部  ３２    第一保持孔  ３２ａ  エッジ部  ４０    第二支持孔  ４０ａ  エッジ部  ４２    第二保持孔  ４２ａ  エッジ部  ４４    第一凹部  ４４ａ  底孔  ４６    第二凹部  ４６ａ  底孔  ４８    宝石  ５０    台座  ５１    リング状部  ５２    第一突出部  ５２ａ  孔  ５４    第二突出部  ５４ａ  孔  ５６    第一枠孔  ５８    第二枠孔  ６２    枠体  ６４    第一凹部  ６４ａ  底孔  ６６    第二凹部  ６４ａ  底孔  ６８    第三凹部  ７０    通し孔
【要約】  枠体に対して装飾部材が大きく揺動できる装身具を提供する。  装身具であるペンダントトップ(10)は、枠体(12)と、第一保持部材(14)と、第二保持部材(16)と、装飾部材(22)を備えている。第一保持部材(14)および第二保持部材(16)は、枠体(12)に対向するように支持され、この支持された位置を支点とした振り子運動ができる。装飾部材(22)も、第一保持部材(14)および第二保持部材(16)と連動して振り子運動ができる。さらに、装飾部材(22)は、この振り子運動の支点から離れた位置で、第一保持部材(14)および第二保持部材(16)の両側から保持されている。装飾部材(22)は、第一保持部材(14)および第二保持部材(16)に対して回転運動ができる。【図１】
0006375468.tif 000002
【図２】
0006375468.tif 000003
【図３】
0006375468.tif 000004
【図４】
0006375468.tif 000005
【図５】
0006375468.tif 000006
【図６】
0006375468.tif 000007
【図７】
0006375468.tif 000008